(57)【要約】【課題】本考案は薄型化の電子機器を壁などの直立面に取り付けられているままその電子機器の下端縁部を所定角度まで持ち上げられるようにすることによって、電子機器の下側面にあるコンセントやＡＶ端子などの差し口や接続ピンを使用しやすいようにさせることができる壁掛け装置を提供することを目的とする。【解決手段】本考案は、壁掛け装置であって、直立面に掛けられるように構成されている固定座と、物品が掛けられるように構成され、かつ、その上部が前記固定座の上部と前記固定座の前後方向において揺動可能に結合されている壁掛け枠とを備える。【選択図】図１
0003119574.tif 000002
【実用新案登録請求の範囲】
【請求項１】
直立面に掛けられるように構成されている固定板と、
物品が掛けられるように構成され、かつ、その上部が前記固定板の上部と前記固定板の前後方向において揺動可能に結合されている壁掛け枠とを備えることを特徴とする壁掛け装置。
【請求項２】
直立面に掛けられるように構成されている固定板と、物品が掛けられるように構成され、かつ、その上部が前記固定板の上部と前記固定板の前後方向において揺動可能に結合されている壁掛け枠であって、
前記前後方向において、前記壁掛け枠から前記固定板へと向かう方向を正面方向とし、これに相反する方向を背面方向とするとき、
前記固定板は、正面方向側の上端縁に沿って支持フック部が形成され、
前記壁掛け枠は、背面方向側における支持フック部の配設位置に対応する位置に、掛けフック部が成されており、
前記結合は、前記支持フック部及び前記掛けフック部間の掛け合いにより行われていることを特徴とする壁掛け装置。
【請求項３】
前記固定板における正面方向側の下端縁近傍において、第１係止フック部が上方の第１位置とその下方の第２位置との間において移動可能となっており、
前記第１係止フック部を前記第１位置へと押し上げるように付勢する付勢手段を備え、
前記壁掛け枠における背面方向側の前記第１位置に対応する位置において、第２係止フック部が形成され、
前記第２係止フック部は、前記第１位置に位置する前記第１係止フック部と掛け合うことを特徴とする請求項２に記載の壁掛け装置。
【請求項４】
前記掛けフック部及び前記第２係止フック部のいずれもが、前記壁掛け枠の後面に左右一つずつ形成されていることを特徴とする前記請求項３に記載の壁掛け装置。
【請求項５】
前記壁掛け枠は、複数存在し、各壁掛け枠に前記掛けフック部と前記第２係止フック部とを一つずつ有することを特徴とする前記請求項３に記載の壁掛け装置。
【考案の詳細な説明】
【技術分野】
【０００１】
本考案は壁掛け装置に関し、特に、薄型の電子機器の固定に適した壁掛け装置に関する。
【背景技術】
【０００２】
近年、液晶テレビやプラズマテレビなどの電子機器において、薄型化の流れは、技術の成熟に伴って加速しており、その結果、より薄く、より軽いものが登場している。
これに伴い、上述のような薄型の電子機器を、従来のような台座に固定するのではなく、壁に固定するいわゆる壁掛け化がブームとなっている。
電子機器を壁に直接固定することは、メンテナンスなどの面から非合理的であるため、通常、電子機器と壁との間に、壁掛け装置を介在させている。
【０００３】
この壁掛け装置は、一対の板状の固定具であって、一方の固定具の上端が折り返されており、他方の固定具の上端がこの折り返された部分に嵌りこむことによって嵌合する。
つまり、一方の固定具を電子機器に固定し、他方の固定具を壁に固定した後に上記嵌合を行うことにより、電子機器を壁に固定する（例えば、特許文献１）。
これにより、電子機器を壁にしっかりと固定することができ、さらに、メンテナンスの際には、電子機器を重力に逆らう方向に持ち上げることにより上記嵌合を解除して、電子機器を壁から簡単に取り外すことができる。
【０００４】
ところで、薄型の電子機器の壁掛け化のブームに伴い、この薄型の電子機器において、内蔵するコンセントやＡＶ端子などの差し口や接続ピンを、筐体の下面から下方に向けて露出させるものが増えている。
【特許文献１】実用新案出願２００５−１００２
【考案の開示】
【考案が解決しようとする課題】
【０００５】
しかしながら、このようにコンセントやＡＶ端子などの差し口や接続ピンを筐体の下面から下方に向けて露出させる電子機器では、コンセントやＡＶ端子などの差し口や接続ピンが、目線よりも低い位置にあることが多く、死角に入り易いため、使用する際に不便であるという問題がある。
上記の問題点に鑑みて、本考案は、電子機器の下側面にあるコンセントやＡＶ端子などの差し口や接続ピンを使用し易い壁掛け装置を提供することを目的とする。
【課題を解決するための手段】
【０００６】
上記目的を達成するために、本考案の壁掛け装置は、直立面に掛けられるように構成されている固定板と、物品が掛けられるように構成され、かつ、その上部が前記固定板の上部と前記固定板の前後方向において揺動可能に結合されている壁掛け枠とを備えることを特徴とする。
【考案の効果】
【０００７】
上記の構成による本考案の壁掛け装置では、その壁掛け枠が固定板に対し前後揺動可能に結合されているので、壁掛け枠に取り付けられている薄型の電子機器は、壁に取り付けられているままでその下端縁部を所定角度まで持ち上げられるため、電子機器の下側面にあるコンセントやＡＶ端子などの差し口や接続ピンが見え易くなり、使用に便利となる。
【考案を実施するための最良の形態】
【０００８】
（第１の実施形態）
図１は本考案の第１の実施形態における壁掛け装置１０の展開図である。
図１に示すように、壁掛け装置１０は、主に固定板の一例としての固定板１１と壁掛け枠１２からなる。
固定板１１は、ベースとなる板状の部材に支持フック部１１１、湾曲部１１２及び係止部１３が配されてなる。
【０００９】
係止部１３は、Ｌ字状に屈曲したアングル部１３２が配された第１係止フック部１３０、２つのキャップ体１３３、底面部１３４、引き棒１３６、２つのばね１３５及び２つの蓋体１３７からなる。
壁掛け枠１２は、ベースとなる板状の部材に２つの掛けフック部１２１及び２つの第２係止フック部１２３が配されてなる。
【００１０】
以下、壁掛け装置１０の構成について詳細に説明する。
なお、説明する順番は、概ね図面の上部に位置するものから、順次下部に位置するものへと行なう。
固定板１１は、全体的に略平板状であり、この平板な面の面が壁などの直立面に掛けられるように構成されているが、その前面には支持フック部１１１が上端縁に沿いながら前方に延伸しており、この支持フック部１１１の断面形状がＵの字状となっている。
【００１１】
ここで、このＵの字状の内側の面を、特に湾曲部１１２ということとする。
一方、壁掛け枠１２も、固定板１１と同様に、全体的に略平板状であるが、左右の長さも上下の高さも固定板１１よりやや小さくなっている。
この平板状の壁掛け枠１２は、その前面が物品を掛けられるように構成されているが、その後面の上端縁から左右一つずつの掛けフック部１２１が後ろへ伸びて、この掛けフック部１２１の断面形状が逆Ｕの字状となっており、前記支持フック部１１１と掛け合っている。
【００１２】
即ち、壁掛け枠１２は、支持フック部１１１と掛けフック部１２１との間の掛け合いにより、固定板１１に結合され、固定板１１に対し前後揺動可能になっている。
続いて、支持フック部１１１と掛けフック部１２１との掛け合いによる結合について、さらに詳しく説明する。
図２は、通常状態時の壁掛け装置１０の断面図であり、また、図３は、壁掛け装置１０の壁掛け枠１２の前面に取り付けられている電子機器の下端面にあるコンセントやＡＶ端子などの差し口や接続ピンへの接続を行うために壁掛け枠１２が下がっている姿勢から所定角度まで持ち上げられた、即ち、角度変更された状態時の断面図である。
【００１３】
図２に示すように、支持フック部１１１は、その湾曲部１１２の開口が上へ向かっているフックであり、かつ、掛けフック部１２１は、その湾曲部１２２の開口が下へ向かっているフックであるため、支持フック部１１１と掛けフック部１２１との掛け合いは、上方に開口している支持フック部１１１の溝に下向きに開口している掛けフック部１２１の縁を上から引っ掛けている。
【００１４】
これにより、掛けフック部１２１は、支持フック部１１１に支持される。
そして、図２及び図３に示すように、掛けフック部１２１における湾曲部１２２の前後方向の開口部の間隔は、上下略同じであるが、支持フック部１１１における湾曲部１１２の開口部の間隔は、下から上へと段々広がっている上、その底面で掛けフック部１２１の先端を支持している。
【００１５】
これにより、掛けフック部１２１は、その先端と支持フック部１１１における湾曲部１１２の開口内の底面との接触部を支点として前後の所定範囲内に揺動することができる。
即ち、この湾曲部１１２及び湾曲部１２２の構成により、支持フック部１１１と掛けフック部１２１とは互いに掛け合いの関係だけでなく枢着の関係にもなっている。
さらに、図示のように、支持フック部１１１及び掛けフック部１２１それぞれの先端、及び、湾曲部１１２及び湾曲部１２２それぞれの開口内の底面がすべて前後に延伸している円弧状になっているので、壁掛け枠１２の固定板１１に対する揺動はスムーズにできる。
【００１６】
以上は本実施形態の基本構成であるが、このような構成だけでは、壁掛け枠１２は通常時ぶら下がっている状態であると同時に、外力などの原因で前後揺動する不安定な状態でもある。
そのため、本第１の実施形態の壁掛け装置１０には、さらに、壁掛け枠１２を常時固定する上、必要に応じてこの固定を解放することができる機構を設置している。以下、その詳細を説明する。
【００１７】
図２に戻り説明すると、固定板１１において、その前面の下端縁に沿うように、長方形状で中空の収容スペースであって、その前面に収容スペースの長手方向に延びる開口１３１が配された係止部１３が形成されている。
そして、係止部１３の内部に、両端のそれぞれにキャップ体１３３が挿嵌された長尺な第１係止フック部１３０が収容されている。
【００１８】
このキャップ体１３３は、係止部１３の内部における上下２位置の間に移動可能に配設されているため、これに挿嵌されている第１係止フック部１３０もこのキャップ体１３３と移動を共にする。
第１係止フック部１３０は、その主要部が互いに略直交する立て板部分と横板部分とからなっており、さらにその横板部分の前縁において、上方へ屈曲してＬ字状、つまりフック形状となっているアングル部１３２が配設されている。
【００１９】
さらに、第１係止フック部１３０が係止部１３の内部から外へ飛び出さないように、係止部１３内に第１係止フック部１３０を挿入し、その両端をキャップ体１３３に挿嵌した後に、係止部１３の左右側面を蓋体１３７により塞いでいる。
さらに、それぞれのキャップ体１３３の下表面と係止部１３の底面部１３４との間にキャップ体１３３を介して第１係止フック部１３０を上へ押し上げる付勢手段としてのばね１３５が取り付けられている。
【００２０】
これによって、第１係止フック部１３０は係止部１３の内部に上下摺動可能かつ常時上位置に位置するようになっている。
さらに、引き棒１３６が、その上端において、係止部１３の底面部１３４の貫通孔を挿通して第１係止フック部１３０の中央に固定され、また、その下端において、係止部１３の底面部１３４の貫通孔から懸吊している。
【００２１】
引き棒１３６を下に引くことによって、第１係止フック部１３０をばね１３５の付勢力に打ち勝って係止部１３内の下位置まで引き降ろすことができる。
また、壁掛け枠１２の後面には、壁掛け枠１２の揺動に伴って係止部１３の前方開口部１３１を出入する部分において、その先端が下方へ屈曲しているフック状の第２係止フック部１２３が左右一つずつ形成されており、これら第２係止フック部１２３が、第１係止フック部１３０のアングル部１３２と掛け合い可能となっている。
（動作）
続いて、また図２及び図３を用いて壁掛け枠１２を固定及び開放するための動作を説明する。
【００２２】
図２に示すように、通常状態では第２係止フック部１２３が前方開口部１３１を経由して係止部１３内部に進入し、ばね１３５により上位置に位置している第１係止フック部１３０のアングル部１３２と掛け合っている。
この掛け合いにより、壁掛け枠１２を揺動できないようにし、壁掛け装置１０全体の安定性を高めることができる。
【００２３】
また、壁掛け装置１０における壁掛け枠１２の揺動機能を利用する場合は、図３に示すように、引き棒１３６を下に引いて、第１係止フック部１３０を係止部１３内の下位置まで引き降す。
これによって、第１係止フック部１３０のアングル部１３２と第２係止フック部１２３との間の掛け合いが解除され、壁掛け枠１２に取り付けられている電子機器の下端縁は所定角度まで持ち上げることができるようになる。
（第２の実施形態）
続いて、図４を用いて本考案の第２の実施形態における壁掛け装置２０について説明する。
【００２４】
図４は本考案の第２の実施形態における壁掛け装置２０の構成図である。
この壁掛け装置２０において、支持フック部２１１を有している固定板２１、及び第１係止フック部２３０を備えている係止部２３は、第１の実施形態における壁掛け装置１０の固定板１１及び係止部１３と左右方向の長さが長くなっていること以外は、壁掛け装置１０と同じ構成であるので、その詳しい説明を省略する。
【００２５】
ここで、固定板２１の各部材において、左右の長さが壁掛け装置１０よりも長くなっているために、符号が固定板１１と変わっている部材について列挙すると、支持フック部１１１→支持フック部２１１、係止部１３→係止部２３、第１係止フック部１３０→第１係止フック部２３０、アングル部１３２→アングル部２３２となっている。
固定板２１の上記以外の部材については、固定板１１と同一であるため符号も同一となっている。
【００２６】
壁掛け装置１０との相違点は、壁掛け装置１０の壁掛け枠１２の構造が、より簡単な構成で実現されている点である。
より具体的には、壁掛け枠１２の代わりに、柱状の壁掛け枠２２ａ及び壁掛け枠２２ｂが左右一つずつ配置されている。
壁掛け枠２２ａ及び壁掛け枠２２ｂは、左右対称形状であり、支持フック部２１１及び第１係止フック部２３０のアングル部２３２に対して、それぞれ掛かり合うことのできる掛けフック部２２１及び第２係止フック部２２２がそれぞれに形成されている。
【００２７】
構造が簡単化された左右対称の壁掛け枠２２ａ及び壁掛け枠２２ｂを一つずつ配置する利点は、壁掛け枠２２ａ及び壁掛け枠２２ｂをより軽量化することができ、さらに、それぞれの電子機器に応じて横幅のピッチ間隔が自由に変えられるので、取り付けの自由度が大きくなる点にある。
これによって、それぞれサイズの異なる電子機器に対応して本考案の壁掛け装置２０を利用することができる。
【００２８】
なお、第２の実施形態における壁掛け枠の数量は２つに限られることなく、必要に応じてさらに増設することもできる。
【産業上の利用可能性】
【００２９】
本考案の壁掛け装置は、液晶ディスプイやプラズマディスプレイなどの壁掛け可能な薄型の電子機器に適用することができる。
【図面の簡単な説明】
【００３０】
【図１】本考案の第１の実施形態における壁掛け装置１０の展開図である。
【図２】本考案の第１の実施形態における壁掛け装置１０の断面図である。
【図３】本考案の第１の実施形態における壁掛け装置１０の動作についての説明図である。
【図４】本考案の第２の実施形態における壁掛け装置２０の展開図である。
【符号の説明】
【００３１】
１０    壁掛け装置
１１    固定板
１２    壁掛け枠
１３    係止部
２０    壁掛け装置
２１    固定板
２２ａ  壁掛け枠
２２ｂ  壁掛け枠
２３    係止部
１１１    支持フック部
１１２    湾曲部
１２１    掛けフック部
１２２    湾曲部
１２３    第２係止フック部
１３０    第１係止フック部
１３１    前方開口部
１３２    アングル部
１３３    キャップ体
１３４    底面部
１３６    引き棒
１３７    蓋体
２１１    支持フック部
２２１    掛けフック部
２２２    第２係止フック部
２３０    第１係止フック部
【図１】
0003119574.tif 000003
【図２】
0003119574.tif 000004
【図３】
0003119574.tif 000005
【図４】
0003119574.tif 000006